(57)【要約】【課題】  オープン階段としての視認性や採光、通風等を確保できるとともに、踏板間からの子供や物の落下を防止できる階段を提供する。【解決手段】  上下に隣り合う踏板４，４間に転落防止部材１０が、上下に隣り合う踏板との間に所定の隙間をもって設けられており、転落防止部材１０は側板２とささら桁３とに支持されている。これによって、視認性や採光、通風等を確保できるとともに、踏板４，４間からの子供や物の落下を防止できる。【選択図】      図２
2007032091.tif 000002
【特許請求の範囲】
【請求項１】
桁に複数枚の踏板が該桁の長手方向に所定間隔で支持された階段であって、
上下に隣り合う前記踏板間に転落防止部材が、上下に隣り合う踏板のうちの少なくとも一方との間に所定の隙間をもって設けられており、
前記転落防止部材は前記桁に支持されていることを特徴とする階段。
【発明の詳細な説明】
【技術分野】
【０００１】
本発明は、踏板間に所定の隙間が設けられたオープン型の階段に関する。
【背景技術】
【０００２】
従来、オープン階段の一つとして、特許文献１に記載の木製階段が知られている。この木製階段は、左右一対のささら桁を備え、この一対のささら桁間に複数の踏板が配設され、各踏板の両端部がささら桁に支持された構造となっている。
このようなオープン階段は踏板の間には蹴込板がなく、隙間となっており、この隙間によって視認性や採光、通風等を確保している。
【特許文献１】実開平７−３８３８２号公報
【発明の開示】
【発明が解決しようとする課題】
【０００３】
しかし、上記のようなオープン階段では、踏板の間が隙間となっているので、その隙間から子供や物が落下してしまう可能性がある。そこで、その隙間に蹴込板を設ければ、子供や物の落下を防止できるが、これでは視認性や採光、通風等を確保できず、オープン階段としての機能が損なわれてしまう。
【０００４】
本発明は、上記事情に鑑みてなされたもので、オープン階段としての機能、すなわち視認性や採光、通風等を確保できるとともに、踏板間からの子供や物の落下を防止できる階段を提供することを目的とする。
【課題を解決するための手段】
【０００５】
上記目的を達成するために、本発明の階段は、桁に複数枚の踏板が該桁の長手方向に所定間隔で支持された階段であって、上下に隣り合う前記踏板間に転落防止部材が、上下に隣り合う踏板のうちの少なくとも一方との間に所定の隙間をもって設けられており、前記転落防止部材は前記桁に支持されていることを特徴とすることを特徴とする。
【０００６】
ここで、本発明は、木製階段、鉄製階段等のいずれの階段に適用してもよく、要は上下に隣り合う踏板間に蹴込板がないオープン階段であれば、どのような階段でも適用してもよい。
また、桁は、ささら桁、側板等の踏板を支持するものであり、該桁は通常左右一対であるが、踏板の中央部を支持するような１本のものでもよい。
さらに、一対の桁は、両方がささら桁、両方が側板、一方が側板で他方がささら桁のいずれでもよい。
また、転落防止部材は、板状のものであってもよいし、棒状のものであってもよい。転落防止部材を、上下に隣り合う踏板間に複数設けてもよい。要は、転落防止部材は、上下に隣り合う踏板のうちの少なくとも一方との間に隙間を設けて、配置すればよい。この場合、隙間の幅は子供より小さい幅とする。
【発明の効果】
【０００７】
本発明の階段によれば、オープン階段の踏板間の隙間に転落防止部材を配設したので、踏板間から子供や物が落下するのを防止できる。
また、この転落防止部材は、上下に隣り合う踏板のうちの少なくとも一方との間に所定の隙間をもって配設されているので、視認性や採光、通風等を確保できる。
【発明を実施するための最良の形態】
【０００８】
以下、図面を参照して本発明の実施の形態について説明する。
図１〜図４は本発明の実施の形態に係る階段を示す図であって、図１は、階段の斜視図、図２は階段の要部の斜視図、図３は階段の転落防止部材の取り付け方法を説明するための斜視図、図４は階段の転落防止部材の取り付け方法を説明するための要部の斜視図である。
【０００９】
図１〜図４において、符号１は階段を示す。この階段１は、左側の側板２と右側のささら桁３を備えたオープン階段である。側板２とささら桁３は、左右に平行に離間して設けられており、これら側板２とささら桁３との間には踏板４が複数設けられている。これら踏板４は階段の上下の方向に所定の間隔で複数設けられており、各踏板４の左端部が側板２に支持されており、右端部がささら桁３に支持されている。
なお、踏板４の左端部は側板２に当接されたうえで、該側板２に固定されており、踏板４の右端部はささら桁３に形成された溝３ａ（図３（ｂ）等参照）にはめ込まれて固定されている。
【００１０】
図１および図２に示すように、ささら桁３の上下両端部にはそれぞれ親柱５，６が立設されており、これら親柱５，６間には、笠木７が架設されている。笠木７とささら桁３との間には多数の子柱８・・・がささら桁７の長手方向に所定間隔でかつ平行に設けられている。
また、前記側板２の上部に位置する壁には、手摺９が側板２の長手方向に沿って取り付けられている。
なお、前記側板２、ささら桁３、踏板４はそれぞれ集成材によって形成されているが、これらの材質は集成材に限ることはない。
【００１１】
上下に隣り合うささら桁３，３間には、転落防止部材１０が上下のささら桁３，３との間に所定の隙間をもって設けられている。この隙間は子供より小さい隙間である。
この転落防止部材１０は、ささら桁３，３間から子供や物が落下するのを防止するためのものであり、以下のように構成されている。
すなわち、図４に示すように、転落防止部材１０は、転落防止部材本体１１と、左右一対の固定部材１２と、蓋部材１３とによって構成されている。
転落防止部材本体１１は、内部に下方に開口する溝部が形成された断面コ字状をなし、かつ横方向の長尺な部材であり、その下面開口を下方に向けて側板２とささら桁３との間に設けられている。
また、転落防止部材本体１１の長さは、側板２とささら桁３の対向する側面間の距離とほぼ等しいか若干に短くなっている。さらに、転落防止部材本体１１の上下の高さは、上下に隣り合う踏板４，４間の距離より短くなっている。なお、転落防止部材本体１１は、例えば集成材、樹脂、木材等によって形成されている。
【００１２】
前記一対の固定部材１２，１２は転落防止部材本体１１の端部を側板２とささら桁３に固定するためのものであり、各固定部材１２は直方体状に形成されたブロック部１２ａと円柱状に形成されたダボ部１２ｂとから構成されている。
ブロック部１２ａは転落防止部材本体１１の内側にその下面開口から挿入されて嵌合するものであり、その対向する側面間の距離が、転落防止部材本体１１の溝部の内側面間の距離とほぼ等しいか若干に短くなっている。また、ブロック部１２ａの上下の高さは、転落防止部材本体１１の溝部の深さより短くなっている。したがって、ブロック部１２ａが転落防止部材本体１１の溝部に挿入嵌合されて、ブロック部１２ａの上面が転落防止部材１１の溝部の上面に当接した場合に、ブロック部１２ａの下面と転落防止部材本体１１の下面との間には隙間が形成されるようになっている。
前記ダボ部１２ｂはブロック部１２ｂの端面に横方向に突出するようにして形成されており、一方の固定部材１２のダボ部１２ｂはブロック部１２ｂの左端面から左側に突出しており、他方の固定部材１２のダボ部１２ｂはブロック部１２ｂの右端面から右側に突出している。なお、左右一対の固定部材１２，１２は同大、同形状に形成されており、使用する際に、ダボ部１２ｂ，１２ｂの向きを逆方向に向けられるものである。
【００１３】
前記蓋部材１３は、転落防止部材本体１１の下面開口を閉塞するものであり、左右に長尺な帯板状の蓋本体１３ａとこの蓋本体１３ａの上面に形成された挿入部１３ｂとから構成されている。
蓋本体１３ａと挿入部１３ｂの長さは、転落防止部材本体１１の長さとほぼ等しくなっており、挿入部１３ｂの厚さは転落防止部材本体１１の溝部の内側面間の距離とほぼ等しいか若干短くなっている。また、挿入部１３ｂの高さは、前記溝部に挿入嵌合されたブロック部１２ａの下面と転落防止部材本体１１の下面との間の距離より若干短くなっている。
【００１４】
また、前記側板２とささら桁３の互いに対向する側面には、それぞれ下穴１５，１５が互いに対向して形成されている。この下穴１５，１５の内径は、固定部１２のダボ部１２ｂ，１２ｂの直径とほぼ等しいか若干大きめになっている。
そして、下穴１５，１５には、それぞれ固定部材１２，１２のダボ部１２ｂ，１２ｂが挿入されて接着剤によって固定され、ブロック部１２ａ，１２ａの先端面が側板２とささら桁３の互いに対向する側面に当接されている。
固定部材１２，１２のブロック部１２ａ，１２ａには、転落防止部材本体１１が下面開口を下方に向けて上方から被されることによって、その溝部が嵌まっている。この状態において、溝部の上面はブロック部１２ａ，１２ａの上面に当接している。これによって、転落防止部材本体１１は、ブロック部１２ａ，１２ａに支持されている。なお、ブロック部１２ａ，１２ａと転落部材本体１１とは接着剤によって接着されている。
さらに、転落防止部材本体１１の下面開口には、下方から蓋部材１２の挿入部１２ｂが挿入されており、蓋部材１２の蓋本体１２ａは転落防止部材１１の下面に当接されている。これによって、転落防止部材本体１１の下面開口が塞がれている。なお、蓋部材１２と転落防止部材本体１１とは接着剤によって接着されている。
以上のようにして、各転落防止部材１０はそれぞれ側板２とささら桁３に支持されている。
【００１５】
上記のような転落防止部材１０は、新規に階段を施工する際に取り付けてもよいし、既設の階段に取り付けてもよい。
以下に、転落防止部材１０の取り付け方法について説明する。
まず、図３（ａ）および図４（ａ）に示すように、上下に隣り合う踏板４，４間において、固定部材１２，１２のダボ部１２ｂ，１２ｂを、側板２およびささら桁３に形成された下穴１５，１５に挿入するとともに、固定部材１２，１２の先端面を側板２およびささら桁３の対向する側面に当接する。なお、下穴１５，１５には予め接着剤を充填しておいたうえで、この下穴１５，１５にダボ部１２ｂ，１２ｂを挿入する。
【００１６】
次に、図３（ｂ）および図４（ｂ）に示すように、転落防止部材本体１１を側板２とささら桁３との間に該転落防止部材本体１１の下面開口を下方に向けて配置し、固定部材１２，１２のブロック部１２ａ，１２ａに上方から被せる。その際、転落防止部材本体１１の溝部の上面がブロック部１２ａ，１２ａの上面に当接するまで、該転落防止部材本体１１をブロック部１２ａ，１２ａに上方から被せる。なお、ブロック部１２ａ，１２ａの上面と側面とには予め接着剤を塗布しておき、この接着剤によって転落防止部材本体１１をブロック部１２ｂ，１２ｂに接着固定する。
【００１７】
次に、図３（ｃ）および図４（ｃ）に示すように、蓋部材１３を転落防止部材本体１１の下方に、挿入部１３ｂを上方に向けて配置し、この挿入部１３ｂを転落防止部材本体１１の溝部に下方から挿入するとともに、蓋本体１２ａを転落防止部材本体１１の下面に当接する。これによって、転落防止部材本体１１の下面開口に蓋をする。なお、蓋部材１３は転落防止部材本体１１の溝部に接着剤および養生テープによって固定する。
以上のようにして、転落防止部材１０の端部を側桁２およびささら桁３に取り付ける。
なお、転落防止部材１０は、上下に隣り合う踏板４，４間のすべてに取り付ける。
【００１８】
本実施の形態によれば、転落防止部材１０が、上下に隣り合う踏板４，４の間に所定の隙間をもって配設されるとともに、側板２およびささら桁３によって支持されているので、踏板４，４間から子供や物が落下するのを防止できる。
また、転落防止部材１０は、上下に隣り合う踏板４，４との間に所定の隙間をもって配設されているので、視認性や採光、通風等を確保できる。
さらに、転落防止部材１０が、転落防止部材本体１１と、固定部材１２，１２とを備えているので、固定部材１２，１２を側板２とささら桁３とに固定したうえで、この固定部材１２，１２によって転落防止部材本体１１を容易かつ確実に支持できる。
また、転落防止部材本体１１の下面開口を蓋部材１３で塞ぐことによって、転落防止部材１０の施工仕上がりが秀麗なものとなる。
【図面の簡単な説明】
【００１９】
【図１】本発明に係る階段の一例を示すもので、階段の斜視図である。
【図２】同、階段の要部の斜視図である。
【図３】同、転落防止部材を取り付ける方法を説明するための斜視図である。
【図４】同、転落防止部材を取り付ける方法を説明するための要部の斜視図である。
【符号の説明】
【００２０】
１  階段
２  側板（桁）
３  ささら桁（桁）
４  踏板
１０  転落防止部材
１１  転落防止部材本体
１２  固定部材
１３  蓋部材
【図１】
2007032091.tif 000003
【図２】
2007032091.tif 000004
【図３】
2007032091.tif 000005
【図４】
2007032091.tif 000006